(57)【要約】【課題】省エネルギ性のより高い空気調和機およびその室内機を提供する。【解決手段】前面側熱交換器２０の上端部において、複数本の伝熱管１２が正面視して少なくとも一部で重なる位置に配置されている。また、そのうちの最背面側の伝熱管１２ａと該伝熱管１２ａに隣り合う２つの伝熱管１２ｂ，１２ｃとの間における切起こしスリット部２３の平均本数が、前面側熱交換器２０の他の伝熱管１２間における切起こしスリット部２３の平均本数よりも多い。【選択図】図４
2017040392.tif 000002
【特許請求の範囲】
【請求項１】
空気吸込口と空気吹出口とを有する筐体と、
前記空気吸込口から前記筐体の内部に吸い込まれた室内空気と冷媒との間で熱交換する室内熱交換器と、
前記室内熱交換器の空気流れの下流側に配置され、室内空気を前記空気吸込口から前記筐体の内部に取り込んで前記室内熱交換器を経て前記空気吹出口から室内に排出する送風ファンと、を備え、
前記室内熱交換器は、前面側熱交換器と背面側熱交換器とを上部で組み合わせて構成されており、
前記前面側熱交換器および前記背面側熱交換器は、間隔をあけて配置されている複数の板状のフィンと、該フィンに設けられている孔に挿入されている伝熱管と、をそれぞれ有し、
前記フィンには、複数の切起こしスリット部が形成されており、
前記前面側熱交換器の上端部において、複数本の伝熱管のうちの最背面側の伝熱管と該最背面側の伝熱管に隣り合う２つの伝熱管との間における前記切起こしスリット部の平均本数が、前記前面側熱交換器の他の伝熱管間における前記切起こしスリット部の平均本数よりも多いことを特徴とする空気調和機の室内機。
【請求項２】
前記前面側熱交換器の上端部における前記複数本の伝熱管のうちの前記最背面側の伝熱管と該最背面側の伝熱管に隣り合う前記２つの伝熱管との間の空気流路の下流側が、前記背面側熱交換器よりも前方を通って前記室内熱交換器の下流側の空間につながっていることを特徴とする請求項１に記載の空気調和機の室内機。
【請求項３】
前記前面側熱交換器の上端部における前記複数本の伝熱管のうちの前記最背面側の伝熱管よりも背面側のフィンの部分には、突起部あるいは波状部が形成されていることを特徴とする請求項１に記載の空気調和機の室内機。
【請求項４】
前記前面側熱交換器の上端部における前記複数本の伝熱管のうちの前記最背面側の伝熱管よりも背面側に位置する空気流路の入口の少なくとも一部が、閉塞部材によって塞がれていることを特徴とする請求項１に記載の空気調和機の室内機。
【請求項５】
前記前面側熱交換器の上端部における前記複数本の伝熱管のうちの前記最背面側の伝熱管と該最背面側の伝熱管に隣り合う前記２つの伝熱管のうちの空気流れの上流側の伝熱管との間に、前記最背面側の伝熱管から前記上流側の伝熱管に向かう方向に沿って、複数本の切起こしスリット部が配置されており、該複数本の切起こしスリット部は、空気流れの下流側で長手方向の長さが上流側よりも短く設定されていることを特徴とする請求項１に記載の空気調和機の室内機。
【請求項６】
前記前面側熱交換器の上端部における前記複数本の伝熱管のうちの前記最背面側の伝熱管と該最背面側の伝熱管に隣り合う前記２つの伝熱管のうちの空気流れの下流側の伝熱管との間に、前記最背面側の伝熱管から前記下流側の伝熱管に向かう方向に沿って、複数本の切起こしスリット部が配置されており、該複数本の切起こしスリット部は、空気流れの上流側で長手方向の長さが下流側よりも短く設定されていることを特徴とする請求項１に記載の空気調和機の室内機。
【請求項７】
前記前面側熱交換器の上端部における前記複数本の伝熱管のうちの前記最背面側の伝熱管と該最背面側の伝熱管に隣り合う前記２つの伝熱管のうちの空気流れの上流側の伝熱管との間に配置された切起こしスリット部と、前記最背面側の伝熱管と該最背面側の伝熱管に隣り合う前記２つの伝熱管のうちの空気流れの下流側の伝熱管との間に配置された切起こしスリット部とが同一形状であることを特徴とする請求項１に記載の空気調和機の室内機。
【請求項８】
請求項１から請求項７のいずれか一項に記載の空気調和機の室内機と、
冷媒を圧縮する圧縮機、室外空気と冷媒との間で熱交換する室外熱交換器、および冷媒を膨張させる膨張弁を有する室外機と、を備える空気調和機。
【発明の詳細な説明】
【技術分野】
【０００１】
本発明は、空気調和機およびその室内機に関する。
【背景技術】
【０００２】
近年特に、省エネルギ性の高い空気調和機が求められている。そのため、空気調和機の熱交換器の熱交換効率をさらに高めることと、送風機の消費電力を小さくすることとが必要とされている。
【０００３】
なかでも室内熱交換器の伝熱性能を高める手段として、複数列の伝熱管を搭載した室内熱交換器を多段曲げあるいは円弧型等で形成して送風ファンを取り囲むように配置した構成が知られている。この構成では、限られたスペースの中で室内熱交換器の伝熱面積を拡大することによって、室内熱交換器の熱交換効率が向上する。
【０００４】
さらに、このような伝熱面積の大きい室内熱交換器をより効率よく使用するためには、例えば、空気が室内熱交換器を通過するときの風速分布を均一にすることが考えられる。これに関して、特許文献１に記載の技術が知られている。
【０００５】
特許文献１には、「本発明の空気調和機の室内機は、吸込口と吹出口とを結ぶ空気通路と、空気通路に配置され、前面側熱交換器と背面側交換器とを上部で組み合わせて構成される室内熱交換器とを備え、前面側熱交換器の空気の流れ方向において、上流側に位置する上流側伝熱管のうち、上端に位置する上流側上端伝熱管は、上流側上端伝熱管以外の上流側伝熱管を結ぶ曲線又は直線の上端側延長よりも背面側に位置する。」と記載されている（要約参照）。
【先行技術文献】
【特許文献】
【０００６】
【特許文献１】特開２０１５−４８９７７号公報
【発明の概要】
【発明が解決しようとする課題】
【０００７】
ところで、室内熱交換器の空気流れ方向の幅（以下、「フィン幅」ともいう。）は、室内機の小型化のため、前面側熱交換器と背面側交換器との合わせ部付近において他の箇所よりも小さくなる。このため、合わせ部付近では、通風抵抗が小さくなって流入空気量が増大し、室内熱交換器内の風速分布が不均一になるおそれがある。
【０００８】
そこで、特許文献１に記載の技術は、前面側熱交換器の上流側上端伝熱管を背面側に寄せて配置することで、前面側熱交換器と背面側交換器との合わせ部付近における伝熱管の設置密度を高くして通風抵抗を増大させている。これにより、特許文献１に記載の技術は、合わせ部付近のフィン幅を大きくすることなく、室内熱交換器内の風速分布を均一化して、省エネルギ性を高めようとしている。
【０００９】
しかしながら、特許文献１に記載の技術は、室内熱交換器の通風抵抗を調整することで各伝熱管間に流入する空気の風速分布の均一化を図っているものの、室内熱交換器の合わせ部付近のフィン幅が他の箇所よりも小さいことに変わりはない。つまり、各伝熱管間の空気流路の幅が異なるため、空気流路ごとの伝熱性能を均一化することができない。したがって、室内熱交換器の合わせ部付近では、十分に熱交換されることなく熱交換器を通過する空気が発生してしまい、省エネルギ性を十分に向上させることが困難である。
【００１０】
また、室内機のさらなる小型化のために前面側熱交換器と背面側熱交換器との合わせ面の面積を僅かしか確保できないレイアウトが採用される場合には、フィン幅が極端に狭い領域が生じる。この場合、特許文献１に記載の技術のような伝熱管の配置の変更だけでは、風速分布を均一化することも困難となる。
【００１１】
本発明は、このような事情に鑑みてなされたものであり、省エネルギ性のより高い空気調和機およびその室内機を提供することを課題とする。
【課題を解決するための手段】
【００１２】
前記した課題を解決するために、本発明に係る空気調和機の室内機は、空気吸込口と空気吹出口とを有する筐体と、前記空気吸込口から前記筐体の内部に吸い込まれた室内空気と冷媒との間で熱交換する室内熱交換器と、前記室内熱交換器の空気流れの下流側に配置され、室内空気を前記空気吸込口から前記筐体の内部に取り込んで前記室内熱交換器を経て前記空気吹出口から室内に排出する送風ファンと、を備え、前記室内熱交換器は、前面側熱交換器と背面側熱交換器とを上部で組み合わせて構成されており、前記前面側熱交換器および前記背面側熱交換器は、間隔をあけて配置されている複数の板状のフィンと、該フィンに設けられている孔に挿入されている伝熱管と、をそれぞれ有し、前記フィンには、複数の切起こしスリット部が形成されており、前記前面側熱交換器の上端部において、複数本の伝熱管のうちの最背面側の伝熱管と該最背面側の伝熱管に隣り合う２つの伝熱管との間における前記切起こしスリット部の平均本数が、前記前面側熱交換器の他の伝熱管間における前記切起こしスリット部の平均本数よりも多いことを特徴とする。
【００１３】
また、本発明に係る空気調和機は、前記した空気調和機の室内機と、冷媒を圧縮する圧縮機、室外空気と冷媒との間で熱交換する室外熱交換器、および冷媒を膨張させる膨張弁を有する室外機と、を備える。
【発明の効果】
【００１４】
本発明によれば、省エネルギ性のより高い空気調和機およびその室内機を提供することができる。
【図面の簡単な説明】
【００１５】
【図１】本発明の第１実施形態に係る空気調和機の構成を模式的に示す図である。
【図２】室内熱交換器の構成を模式的に示す分解斜視図である。
【図３】空気調和機の室内機の概略断面図である。
【図４】空気調和機の室内機における室内熱交換器の上部の構成を示す図である。
【図５】図４の合わせ面付近の拡大図である。
【図６】図５のＡ−Ａ線に沿う断面図である。
【図７】図５のＢ−Ｂ線に沿う断面図である。
【図８】図５のＣ−Ｃ線に沿う断面図である。
【図９】合わせ面を通る空気流路の通風抵抗を増大させる構造の変形例を示す図である。
【図１０】合わせ面を通る空気流路の通風抵抗を増大させる構造の変形例を示す図である。
【図１１】第２実施形態に係る空気調和機の室内機における室内熱交換器の上部の構成を示す図である。
【図１２】図１１の合わせ面付近の拡大図である。
【図１３】前面側熱交換器の上端部の空気流路における切起こしスリット部の変形例を示す図である。
【図１４】前面側熱交換器の切起こしスリット部の変形例を示す図である。
【発明を実施するための形態】
【００１６】
本発明の実施形態について、適宜図面を参照しながら詳細に説明する。
なお、以下に示す各図において、同種の部材には同一の参照符号を付し、重複した説明を適宜省略する。
【００１７】
〔第１実施形態〕
まず、図１〜図８を参照して、本発明の第１実施形態について説明する。
図１は、本発明の第１実施形態に係る空気調和機１００の構成を模式的に示す図である。図１に示すように、本実施形態に係る空気調和機１００は、室外機１と、室内機２と、を備えている。
【００１８】
室外機１は、冷媒を圧縮する圧縮機３と、冷媒の流れの向きを切り替える四方弁４と、室外空気と冷媒との間で熱交換する室外熱交換器５と、室外空気を室外機１の内部に取り込むプロペラファン６と、冷媒を膨張させる膨張弁７と、を備えている。
【００１９】
室内機２は、室内空気と冷媒との間で熱交換する室内熱交換器８と、室内空気を室内機２の内部に取り込む送風ファンとしての貫流ファン９と、を備えている。
【００２０】
また、圧縮機３、四方弁４、室外熱交換器５、膨張弁７、および、室内熱交換器８は、配管１０で接続されており、配管１０を介して冷媒が各機器を循環することができるようになっている。冷媒としては、Ｒ４１０ＡやＲ３２等の冷媒が使用され得る。
【００２１】
空気調和機１００の冷房運転時において、四方弁４は、図１の実線で示すような接続状態とされる。この場合、圧縮機３から吐出された冷媒は、室外熱交換器５、膨張弁７、室内熱交換器８の順に流れ、再び圧縮機３に循環するようになっている（図１の実線矢印参照）。一方、空気調和機１００の暖房運転時において、四方弁４は、図１の破線で示すような接続状態とされる。この場合、圧縮機３から吐出された冷媒は、室内熱交換器８、膨張弁７、室外熱交換器５の順に流れ、再び圧縮機３に循環するようになっている（図１の破線矢印参照）。
【００２２】
室外機１の内部では、室外空気がプロペラファン６によって吸引されて室外熱交換器５を通過することによって、室外空気と冷媒との間で熱交換が行われるようになっている。また、室内機２の内部では、室内空気が貫流ファン９によって吸引されて室内熱交換器８を通過することによって、室内空気と冷媒との間で熱交換が行われるようになっている。そして、空気調和機１００は、冷媒と熱交換することによって加熱または冷却された室内空気である調和空気を吹出して、室内の空調を行うようになっている。
【００２３】
次に、室内機２の内部に配置される室内熱交換器８の構造について、図２を参照して説明する。図２は、室内熱交換器８の構成を模式的に示す分解斜視図である。図２では、説明の都合上、伝熱管１２がフィン１１の延伸方向に１列に並んだ構成が記載されているが、実際には、伝熱管１２がフィン１１の延伸方向に並ぶ列が複数列（図３参照）設けられた構成が採用されている。
【００２４】
図２に示すように、室内熱交換器８は、いわゆるクロスフィンチューブ式熱交換器である。すなわち、室内熱交換器８を構成する前面側熱交換器２０および背面側熱交換器２１（図３参照）は、間隔をあけて積層して配置されている複数のアルミニウム製の板状のフィン１１と、該フィン１１に設けられている孔に挿入されている銅製の伝熱管１２と、をそれぞれ有している。具体的には、室内熱交換器８は、複数のフィン１１を、Ｕ字状に曲げられた伝熱管１２がその開口端部側から貫くようにして構成されている。そして、フィン１１に挿入された伝熱管１２を液圧または機械的に拡管することによって、フィン１１と伝熱管１２とが密着する。また、伝熱管１２の開口端部には、継手部品としてのリターンベンド１３等が溶接される。このようにして、冷媒の流路が構成されている。
【００２５】
次に、室内機２の内部構造について、図３〜図８を参照して説明する。図３は、空気調和機１００の室内機２の概略断面図である。図４は、空気調和機１００の室内機２における室内熱交換器８の上部の構成を示す図である。図３〜図４では、図示の簡略化のため、一部の部材の記載を省略している。なお、図３に示すように、室内側（正面側）が「前」、壁側（背面側）が「後」に対応している。
【００２６】
図３に示すように、室内機２は、筐体１４と、前面パネル１５と、エアフィルタ１６とを備えて構成されている。そして、これらにより形成される空間内（室内機２内）に、室内熱交換器８と貫流ファン９とが備えられている。
【００２７】
筐体１４は、空気吸込口１７と空気吹出口１８とを有している。室内熱交換器８は、空気吸込口１７から筐体１４の内部に吸い込まれた室内空気と、冷媒との間で熱交換するようになっている。
【００２８】
前面パネル１５は、下端部を支点として駆動モータ（図示せず）によって回動可能に取り付けられている。前面パネル１５は、空気調和機１００の運転時に、上端部が前方に傾くように回動することによって、開くように構成されている。
【００２９】
貫流ファン９は、室内熱交換器８の空気流れの下流側に該室内熱交換器８によって、下面側以外がほぼ囲まれて配置されている。この貫流ファン９は、室内空気を空気吸込口１７から筐体１４の内部に取り込んで、室内熱交換器８を経て空気吹出口１８から室内に排出するように構成されている。
【００３０】
すなわち、室内空気は、室内機２の上方の空気吸込口１７から、貫流ファン９の回転により生じる空気流れによって、室内機２（筐体１４）内に取り込まれるようになっている。そして、取り込まれた空気は、室内熱交換器８において加熱又は冷却された後、室内機２の下方の空気吹出口１８から室内に供給されるようになっている。これにより、室内の空気調和が行われる。また、室内に供給される空気の風向きは、空気吹出口１８の近傍に設けられた風向制御板１９によって制御されるように構成されている。
【００３１】
室内熱交換器８は、前面側熱交換器２０と背面側熱交換器２１とを別々に製造し、これらを上部の合わせ面２２で組み合わせて、逆Ｖ字形状（上方に窄まる形状）に構成されている。また、前面側熱交換器２０は、貫流ファン９の前面側を囲うように湾曲している。背面側熱交換器２１は、略直線状に形成されている。前面側熱交換器２０および背面側熱交換器２１のいずれも、伝熱管１２がフィン１１の延伸方向に３列に並ぶように形成されている。このように伝熱管１２を複数列配置することで、限られた室内機２の筐体１４の寸法内で伝熱面積を大きくし、省エネルギ性の向上を図っている。
【００３２】
また、前面側熱交換器２０の上端部において、複数本の伝熱管１２が正面視して少なくとも一部で重なる位置に配置されている。換言すれば、前面側熱交換器２０の上端部において、複数本の伝熱管１２が水平に配置されている。ここで「水平」というのは「厳密な水平」に加えて、技術常識からみて水平にみられる「略水平」をも含む概念である。このように配置することで、室内熱交換器８の上端部とエアフィルタ１６とが接触しないように微小な隙間を設けつつ、室内熱交換器８の伝熱面積を大きくすることができる。
【００３３】
図４に示すように、室内熱交換器８のフィン１１には、該フィン１１の積層方向（厚み方向）に切り起こされた複数本の切起こしスリット部２３が形成されている。切起こしスリット部２３は、伝熱管１２がフィン１１の延伸方向に並ぶ隣り合う２つの伝熱管１２の間に、一方の伝熱管１２から他方の伝熱管１２に向かう方向に沿って、フィン１１の積層方向から見て線状を呈するように形成されている。つまり、切起こしスリット部２３の長手方向は、空気流れ方向に概ね直交する方向とされている。
【００３４】
図５は、図４の合わせ面２２付近の拡大図である。図６は、図５のＡ−Ａ線に沿う断面図である。図７は、図５のＢ−Ｂ線に沿う断面図である。図８は、図５のＣ−Ｃ線に沿う断面図である。
【００３５】
図５〜図７に示すように、切起こしスリット部２３は、フィン１１に形成された略平行な一対の切断線の間の部分が、ここでは該フィン１１の一方の面側に突出するように変形させられて形成されている。そして、切起こしスリット部２３の長手方向の端部２３Ｌ（図７参照）はフィン１１の平坦部に繋がっており、切起こしスリット部２３の幅方向（長手方向と直交する方向）の端部２３Ｗ（図６参照）はフィン１１の平坦部から切り離されている。
【００３６】
フィン１１に切起こしスリット部２３を設けることによって、空気の温度境界層を分断して平均境界層厚さを小さくすることができ、これによって伝熱性能が向上する。ここで、温度境界層は、フィン１１の表面で熱交換されて温度上昇した部分であり、空気流れにしたがって厚く成長して熱抵抗として作用するため、熱交換効率を低下させる。しかし、切起こしスリット部２３の形成によって温度境界層の成長が抑制されるため、温度境界層が薄くなり、熱伝達を促進させることが可能となっている。
【００３７】
図４に示すように、前面側熱交換器２０の最背面側にある伝熱管１２ａと、該伝熱管１２ａに隣り合う２つの伝熱管１２ｂ，１２ｃとの間の空気流路２４ａの長さは、前面側熱交換器２０および背面側熱交換器２１における各空気流路２４の平均長さよりも小さい。すなわち、室内熱交換器８の空気流れ方向の幅（フィン幅）が、前面側熱交換器２０と背面側熱交換器２１との合わせ面２２付近において他の箇所よりも小さくなっている。これは、室内熱交換器８の上端位置がなるべく低くなるように規制して、室内機２の小型化を図るためである。さらに、フィン１１の下流縁をハの字状にし、熱交換器に沿って結露水が流れるように構成して、室内熱交換器８の上端部で結露した水が送風ファンとしての貫流ファン９に垂れて室内に飛散することを防ぐためである。
【００３８】
伝熱管１２ａ〜１２ｃは、それぞれ、フィン１１を貫通する複数本の伝熱管１２のうちの一つである。ここでは、伝熱管１２は、フィン１１上での貫通位置ごとに別々の伝熱管として取り扱うこととする。また、空気流路２４ａは、前面側熱交換器２０および背面側熱交換器２１における複数の空気流路２４のうちの一つである。
【００３９】
このように、室内熱交換器８の上端部では、空気流路２４ａが他の箇所における空気流路２４よりも短いため、通風抵抗が小さくなって流入空気量が増大し、室内熱交換器８内の風速分布が不均一になるおそれがある。また、空気流路２４ａにおけるフィン１１の伝熱面積が小さいため、流入空気が十分に熱交換することなく室内熱交換器８を通過するおそれがある。
【００４０】
これに対し、例えば、前面側熱交換器２０の上端部にある伝熱管１２の間隔を狭めることで通風抵抗を大きくして、室内熱交換器８の風速分布の均一化を図ることができる。しかしながら、前面側熱交換器２０の最背面側にある伝熱管１２ａと、該伝熱管１２ａに隣り合う２つの伝熱管１２ｂ，１２ｃとの間の空気流路２４ａの長さが短いままであるため、空気流路２４ごとの伝熱性能は不均一のままとなる。このため、十分に熱交換されることなく室内熱交換器８を通過してしまう空気が残り、省エネルギ性を十分に向上させることが困難である。
【００４１】
そこで、本実施形態では、最背面側の伝熱管１２ａと該伝熱管１２ａに隣り合う２つの伝熱管１２ｂ，１２ｃとの間における切起こしスリット部２３の平均本数（例えば図４では４本）が、前面側熱交換器２０の他の伝熱管１２間における切起こしスリット部２３の平均本数（例えば図４では３本）よりも多く設定されている。
【００４２】
これにより、長さの短い空気流路２４ａの通風抵抗を増大させることで室内熱交換器８内の風速分布の均一化が図られるとともに、空気流路２４ａの単位長さあたりの伝熱性能が向上する分、室内熱交換器８の空気流路２４ごとの伝熱性能の均一化が図られる。したがって、室内熱交換器８全体で熱交換効率の向上を図ることができる。
【００４３】
図４に示すように、伝熱管１２ａと伝熱管１２ｂと伝熱管１２ｃとは三角形状を形成するように配置されている。そして、伝熱管１２ａと伝熱管１２ｂの間の複数本の切起こしスリット部２３は、空気流れの下流側で長手方向の長さが上流側よりも短く設定されている。具体的には、本実施形態は、伝熱管１２ａと伝熱管１２ｂの間の複数本の切起こしスリット部２３のうち、空気流れの下流側の切起こしスリット部２３の伝熱管１２ａ側を伝熱管１２ｂ側へ縮めて長手方向の長さを短くしている。したがって、伝熱管１２ａと伝熱管１２ｂの間と、伝熱管１２ａと伝熱管１２ｃの間に、長さの等しい複数本の切起こしスリット部２３を配置しようとして伝熱管１２ａ近傍で切起こしスリット部２３同士が接触してしまうことを防止することができる。
【００４４】
また、前面側熱交換器２０と背面側熱交換器２１との合わせ面２２を通る空気流路２４ｂも空気流路２４ａと同様にフィン幅が狭い構成となっているが、製造上の問題で、フィン１１の延伸方向の端部に切起こしスリット部２３を形成することは困難である。そのため、本実施形態では、前面側熱交換器２０の最背面側の伝熱管１２ａよりも背面側のフィン１１の部分に、突起部２５が形成されている。また、背面側熱交換器２１の最前面側の端部にも、突起部２５が形成されている。
【００４５】
図５および図８に示すように、突起部２５は、フィン１１の一方の面側に突出するように変形させられて形成されており、フィン１１の積層方向から見て線状を呈している。突起部２５の長手方向は、ここでは、フィン１１の延伸方向、すなわち空気流れ方向に概ね直交する方向とされている。突起部２５の形成によって、長さの短い空気流路２４ｂの通風抵抗を増大させることができ、これにより室内熱交換器８内の風速分布の均一化効果をより得ることができる。
【００４６】
図９〜図１０は、合わせ面２２を通る空気流路２４ｂの通風抵抗を増大させる構造の変形例を示す図である。
図９に示すように、前記した突起部２５に代えて、波状部２６が形成されてもよい。波状部２６は、フィン１１の一方の面側と他方の面側に交互に突出するように変形させられて形成されている。この構成によっても、突起部２５と同様の効果を得ることができる。
【００４７】
また、図１０に示すように、前記した突起部２５の形成に代えて、またはこれに加えて、前面側熱交換器２０の最背面側の伝熱管１２ａよりも背面側に位置する空気流路の入口の少なくとも一部が、テープ等の閉塞部材２７によって塞がれるように構成されてもよい。ここでは、閉塞部材２７は、室内熱交換器８における合わせ面２２の上流側端部を含む空気入口に設けられている。この構成によっても、突起部２５と同様の効果を得ることができる。
【００４８】
前記したように、本実施形態では、前面側熱交換器２０の上端部において、複数本の伝熱管１２が正面視して少なくとも一部で重なる位置に配置されている。また、そのうちの最背面側の伝熱管１２ａと該伝熱管１２ａに隣り合う２つの伝熱管１２ｂ，１２ｃとの間における切起こしスリット部２３の平均本数が、前面側熱交換器２０の他の伝熱管１２間における切起こしスリット部２３の平均本数よりも多い。
【００４９】
したがって、前面側熱交換器２０の上端部において複数本の伝熱管１２が水平に配置されるため、室内熱交換器８の上端部が室内機２の他の部材と接触しないように微小な隙間を設けつつ、室内熱交換器８の伝熱面積を拡大できる。
また、室内熱交換器８の上端位置を低く規制して小型化を図るために長さが短くなる空気流路２４ａの通風抵抗を増大させることで、室内熱交換器８内の風速分布の均一化を図ることができる。さらに、空気流路２４ａの単位長さあたりの伝熱性能が向上する分、室内熱交換器８の空気流路２４ごとの伝熱性能の均一化を図ることができる。したがって、室内熱交換器８全体で熱交換効率の向上を図ることができる。
すなわち、本実施形態によれば、省エネルギ性のより高い空気調和機１００およびその室内機２を提供することができる。
【００５０】
〔第２実施形態〕
次に、図１１〜図１２を参照して、本発明の第２実施形態について説明する。
第２実施形態では、前面側熱交換器２０と背面側熱交換器２１との合わせ面２２の面積が小さくなっているが、その他の構成はほぼ同様であり、重複する説明は省略する。
図１１は、第２実施形態に係る空気調和機１００の室内機２における室内熱交換器８の上部の構成を示す図である。図１２は、図１１の合わせ面２２付近の拡大図である。
【００５１】
図１１に示すように、第２実施形態における前面側熱交換器２０と背面側熱交換器２１との合わせ面２２は、第１実施形態（図４参照）に比べて小さくなっている。室内機２（図３参照）の省エネルギ性を高めるためには、貫流ファン９（図３参照）としてファン効率の高い大径ファンを搭載することが有効である。このため、第２実施形態は、背面側熱交換器２１を上方にずらして配置することによって、規定寸法内で大径ファンを搭載可能に構成されており、その結果、合わせ面２２が小さくなっている。
【００５２】
図１１〜図１２に示すように、第２実施形態では、合わせ面２２の面積が小さくなるため、空気流路１４ａの下流側が背面側熱交換器２１よりも前方を通って室内熱交換器８の下流側の空間Ｓにつながっている。つまり、空気流路２４ａの下流に背面側熱交換器２１が存在しない。ここで、伝熱管１２ａと伝熱管１２ｃとの間における切起こしスリット部２３の長手方向両端から、フィン１１の風下縁２８に対して一対の垂線Ｎを下ろす。そして、一対の垂線Ｎで挟まれた範囲Ｌに対応する風下縁２８の部分をスリット部風下縁２８ａとする。この場合において、空気流路１４ａの下流側が背面側熱交換器２１よりも前方を通って室内熱交換器８の下流側の空間Ｓにつながっているということは、スリット部風下縁２８ａの全体が空間Ｓに面していることを意味するものとする。このような第２実施形態では、前面側熱交換器２０の上端部の空気流路２４ａが第１実施形態よりも短くなるため、室内熱交換器８の熱交換効率の低下を防止する対策をより確実に講じる必要がある。
【００５３】
すなわち、第２実施形態でも、第１実施形態と同様に、前面側熱交換器２０の上端部の空気流路２４ａにおける切起こしスリット部２３の形成本数を、前面側熱交換器２０の他の箇所よりも多くしている。すなわち、最背面側の伝熱管１２ａと該伝熱管１２ａに隣り合う２つの伝熱管１２ｂ，１２ｃとの間における切起こしスリット部２３の平均本数（例えば図１１では４本）が、前面側熱交換器２０の他の伝熱管１２間における切起こしスリット部２３の平均本数（例えば図１１では３本）よりも多く設定されている。
【００５４】
したがって、合わせ面２２の面積が小さい第２実施形態においても、室内熱交換器８内の風速分布の均一化が図られるとともに、室内熱交換器８の空気流路２４ごとの伝熱性能の均一化が図られる。
このように第２実施形態によれば、ファン効率の高い大径ファンを搭載可能としつつ、室内熱交換器８全体で熱交換効率の向上を図ることができる。
【００５５】
また、第１実施形態と同様に、伝熱管１２ａと伝熱管１２ｂの間の複数本の切起こしスリット部２３は、空気流れの下流側で長手方向の長さが上流側よりも短く設定されている。したがって、伝熱管１２ａと伝熱管１２ｂの間と、伝熱管１２ａと伝熱管１２ｃの間に、長さの等しい複数本の切起こしスリット部２３を配置しようとして伝熱管１２ａ近傍で切起こしスリット部２３同士が接触してしまうことを防止することができる。
【００５６】
また、第２実施形態では、伝熱管１２ａと伝熱管１２ｃの間の複数本の切起こしスリット部２３は、空気流れの上流側で長手方向の長さが下流側よりも短く設定されている。切起こしスリット部２３同士の接触をより防止するためには、伝熱管１２ａと伝熱管１２ｃの間の複数本の切起こしスリット部２３のうち、上流側のスリット部２３の伝熱管１２ａ側を伝熱管１２ｃ側へ縮めることが好ましい。しかし、ここでは、前記上流側のスリット部２３の伝熱管１２ｃ側が伝熱管１２ａ側へ縮められている。すなわち、伝熱管１２ａと伝熱管１２ｂの間に配置された切起こしスリット部２３と、伝熱管１２ａと伝熱管１２ｃの間に配置された切起こしスリット部２３とは、姿勢が変化しているものの、同一形状とされている。このような構成によれば、これら両者の切起こしスリット部２３を同一の金型で形成することができ、室内機２の製造コストを低減することができる。
【００５７】
以上、本発明について実施形態に基づいて説明したが、本発明は前記した実施形態や変形例に限定されるものではなく、更なる様々な変形例が含まれる。例えば、前記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【００５８】
図１３は、前面側熱交換器２０の上端部の空気流路２４ａにおける切起こしスリット部２３の変形例を示す図である。前記した実施形態では、図４や図１１に示すように、起こしスリット部２３の形成本数を多くする箇所を、伝熱管１２ａと伝熱管１２ｂの間と、伝熱管１２ａと伝熱管１２ｃの間の２箇所としている。これに対し、図１３に示すように、起こしスリット部２３の形成本数を多くする箇所を、伝熱管１２ａと伝熱管１２ｂとの間の１箇所としてもよい。あるいは、起こしスリット部２３の形成本数を多くする箇所を、伝熱管１２ａと伝熱管１２ｃとの間の１箇所としてもよい。この図１３に示す変形例であっても、前記した実施形態よりも少し小さいが同様の効果を得ることができる。
【００５９】
図１４は、前面側熱交換器２０の切起こしスリット部２３の変形例を示す図である。図１４に示すように、最背面側の伝熱管１２ａと該伝熱管１２ａに隣り合う２つの伝熱管１２ｂ，１２ｃとの間における切起こしスリット部２３の平均本数を４本とし、前面側熱交換器２０の他の伝熱管１２間における切起こしスリット部２３の平均本数を前記した実施形態の３本から２本に減らしてもよい。すなわち、長さの短い空気流路２４ａとそれ以外の空気流路２４とで、切起こしスリット部２３の平均本数の差をより増大させてもよい。これにより、空気流路２４ａの通風抵抗を相対的に増大させることで室内熱交換器８内の風速分布をより均一化できるとともに、空気流路２４ａの単位長さあたりの伝熱性能が相対的に向上する分、室内熱交換器８の空気流路２４ごとの伝熱性能をより均一化できる。
【００６０】
また、図１４に示す変形例では、伝熱管１２ａと伝熱管１２ｃの間の複数本の切起こしスリット部２３は、空気流れの上流側で長手方向の長さが下流側よりも短く設定されている。そして、伝熱管１２ａと伝熱管１２ｃの間の複数本の切起こしスリット部２３のうち、上流側のスリット部２３の伝熱管１２ａ側が伝熱管１２ｃ側へ縮められている。したがって、伝熱管１２ａ近傍で切起こしスリット部２３同士が接触してしまうことを防止することができる。
【符号の説明】
【００６１】
１      室外機
２      室内機
３      圧縮機
５      室外熱交換器
７      膨張弁
８      室内熱交換器
９      貫流ファン（送風ファン）
１１    フィン
１２，１２ａ〜１２ｃ  伝熱管
１４    筐体
１７    空気吸込口
１８    空気吹出口
２０    前面側熱交換器
２１    背面側熱交換器
２２    合わせ面
２３    切起こしスリット部
２４，２４ａ，２４ｂ  空気流路
２５    突起部
２６    波状部
２７    閉塞部材
１００  空気調和機
【図１】
2017040392.tif 000003
【図２】
2017040392.tif 000004
【図３】
2017040392.tif 000005
【図４】
2017040392.tif 000006
【図５】
2017040392.tif 000007
【図６】
2017040392.tif 000008
【図７】
2017040392.tif 000009
【図８】
2017040392.tif 000010
【図９】
2017040392.tif 000011
【図１０】
2017040392.tif 000012
【図１１】
2017040392.tif 000013
【図１２】
2017040392.tif 000014
【図１３】
2017040392.tif 000015
【図１４】
2017040392.tif 000016